(57)【要約】【課題】  水浸入あるいは高湿度が原因で発生する部品不良を特定できる灯火断芯検出処理装置を提供することである。【解決手段】  電源回路１６は、変流器１２の一次側に接続された定電流電源装置１１から変流器１２の二次側に接続された灯火１５に電流を供給して灯火を点灯させる。演算処理回路１８は、電流検出回路１７が灯火１５の断芯を検出したときは灯火１５をバイパスして変流器１２の二次側を短絡して状態表示回路１９に灯火１５の断芯の有無を表示すると共に、湿度検出回路２１で検出された湿度に基づいて装置内部の防水状態を状態表示回路１９に表示する。【選択図】  図１
2007311276.tif 000002
【特許請求の範囲】
【請求項１】
変流器の一次側に接続された定電流電源装置から前記変流器の二次側に接続された灯火に電流を供給して前記灯火を点灯させる電源回路と、前記灯火に供給される電流断状態から前記灯火の断芯を検出する電流検出回路と、装置内部の湿度を計測する湿度検出回路と、前記電流検出回路が灯火の断芯を検出したときは前記灯火をバイパスして前記変流器の二次側を短絡して状態表示回路に前記灯火の断芯の有無を表示する演算処理回路とを備えた灯火断芯検出処理装置において、前記演算処理回路は、前記湿度検出回路で検出された湿度に基づいて装置内部の防水状態を状態表示回路に表示することを特徴とする灯火断芯検出処理装置。
【請求項２】
前記状態表示回路に代えて伝送制御回路を設け、前記伝送制御回路は前記灯火の断芯の有無や装置内部の防水状態を前記外部装置に報知することを特徴とする請求項１記載の灯火断芯検出処理装置。
【発明の詳細な説明】
【技術分野】
【０００１】
本発明は、空港の滑走路や誘導路等に設置される灯火の断芯を検出する灯火断芯検出処理装置に関するものである。
【背景技術】
【０００２】
空港の滑走路・誘導路には、航空機を誘導するための誘導灯や制御灯が点灯配置されている。灯火断芯検出処理装置は、誘導灯や制御灯の点灯消灯制御を行うと共に灯火の断芯有無を監視する装置である。灯火断芯検出処理装置は、誘導灯や制御灯近傍屋外ホール内底部に設置されるため、防水対応ケースとすることが必須条件である。このため、屋内設置用ケースと比較し頑丈であることと、密閉度を高めるためにゴムパッキンを使用するなどしているので構造が複雑である。
【０００３】
このような使用環境において、構成部品の不良や工作不良が原因で灯火断芯検出処理装置の防水対応ケースが腐食することが希に発生する。その結果、灯火断芯検出処理装置の防水ケース内に水が浸入したり、あるいは高湿度となって灯火断芯検出処理装置の電子回路に想定外の影響を与えることがある。
【０００４】
例えば、灯火断芯検出処理装置内が高湿度になり、装置の構成部品であるＲＡＭに不良が発生した場合には、演算処理装置内部のプログラムＲＯＭやＲＡＭ等を常時監視する機能によりそのＲＡＭ不良を検知しその結果を外部に通知することになる。
【０００５】
図５は従来の灯火断芯検出処理装置の一例を示す回路図である。定電流電源装置１１からの電流は変流器１２を介して灯火断芯検出処理装置１３に入力される。灯火断芯検出処理装置１３は防水ケース１４で保護され、変流器１２と灯火１５との間に接続される。
【０００６】
電源回路１６は、例えば変流器１２の二次電流（交流）により、電流検出回路１７、演算処理回路１８、状態表示回路１９などの電力供給先に必要な直流電圧電源出力を取得し、電力供給先に一定の直流電圧を出力し、二次電流が変化しても直流電圧出力を一定に保つ機能を具備する。
【０００７】
灯火１５に断芯が発生すると、電流検出回路１７はそれまで灯火１５に流れていた電流が遮断されることを検出し、その情報をもとに演算処理回路１８はバイパス回路２０により灯火１５の両端を短絡して高電圧の発生を防ぐと共に、状態表示回路１９を介して外部に対して断芯の発生を通知する。なお、灯火１５の正常時におけるバイパス回路２０は開放状態である。
【０００８】
ここで、空港の滑走路・誘導路等に設置される灯火の断芯を適切に検出するものとして、灯火の両端の過電圧検出前の電流と電圧とに基づいて過電圧検出前の抵抗値を求め、過電圧検出後の電流と電圧とに基づいて過電圧検出後の抵抗値を求め、過電圧検出前の抵抗値と過電圧検出後の抵抗値とを比較し、比較結果が所定の許容範囲にない場合に、灯火の断芯を検出するようにしたものがある（例えば、特許文献１参照）。
【特許文献１】特願２００５−１８３１１９号公報
【発明の開示】
【発明が解決しようとする課題】
【０００９】
しかし、灯火の断芯が検出されたときには、保守要員は不良に至った灯火断芯検出処理装置を新品に交換し、不良となった灯火断芯検出処理装置の不良原因を調査することになるが、交換中あるいは稼働中の温度上昇により、装置内部の水分が蒸発すると、部品不良も復帰するので原因が究明できない場合が起こり得る。
【００１０】
このように、灯火断芯検出処理装置１３の防水ケース１４の腐食による水浸入あるいは高湿度によって、灯火断芯検出処理装置１３を構成する電子回路に徐々に影響を与え、最終的には、電流検出回路１７、演算処理回路１８、状態表示回路１９等が動作不良に至る可能性がある。
【００１１】
本発明の目的は、水浸入あるいは高湿度が原因で発生する部品不良を特定できる灯火断芯検出処理装置を提供することである。
【課題を解決するための手段】
【００１２】
本発明の灯火断芯検出処理装置は、変流器の一次側に接続された定電流電源装置から前記変流器の二次側に接続された灯火に電流を供給して前記灯火を点灯させる電源回路と、前記灯火に供給される電流断状態から前記灯火の断芯を検出する電流検出回路と、装置内部の湿度を計測する湿度検出回路と、前記電流検出回路が灯火の断芯を検出したときは前記灯火をバイパスして前記変流器の二次側を短絡して状態表示回路に前記灯火の断芯の有無を表示する演算処理回路とを備えた灯火断芯検出処理装置において、前記演算処理回路は、前記湿度検出回路で検出された湿度に基づいて装置内部の防水状態を状態表示回路に表示することを特徴とする。
【発明の効果】
【００１３】
本発明によれば、装置を構成する部品の状態監視を行うと共に、装置を保護している防水ケース内部に湿度検出回路により常時湿度の監視を行うので、防水ケースの水進入あるいは高湿度が原因である部品異常を検出できる。従って、装置の不良時の保守及び不良原因の究明調査時間の改善に大きく寄与することができる。
【発明を実施するための最良の形態】
【００１４】
（第１の実施の形態）
図１は本発明の第１の実施の形態に係わる灯火断芯検出処理装置の回路図である。図５に示した従来例に対し、装置内部の湿度を計測する湿度検出回路２１が追加して設けられ、演算処理回路１８は湿度検出回路２１で検出された湿度に基づいて装置内部の防水状態を状態表示回路１９に表示する。図５と同一要素には同一符号を付し重複する説明は省略する。
【００１５】
図１に示すように、灯火断芯検出処理装置１３は防水ケース１４で保護され、変流器１２と灯火１５との間に接続されている。灯火１５の正常時におけるバイパス回路２０は開放状態である。電流検出回路１７は、灯火１５に断芯が発生するとそれまで灯火１５に流れていた電流が遮断されることを検出する。演算処理回路１８は、その情報をもとにバイパス回路２０を閉じ、灯火１５の両端を短絡して高電圧の発生を防止するようにしたものである。
【００１６】
演算処理回路１８は、湿度検出回路２１の出力レベルを監視し、通常、灯火断芯検出処理装置１３が稼動している場合は自己加熱により低い湿度となっている。図２は湿度検出回路２１の出力と防水ケース１４内の湿度との関係を示す特性図である。図２に示すように、防水ケース１４内の湿度がレベルＢ以下であれば、灯火断芯検出処理装置１３を保護している防水ケース１４は正常と判断し、またレベルＡ以上であれば、防水ケース１４は異常であると判断する。
【００１７】
通常、防水ケース１４が破損し、灯火断芯検出処理装置１３が水没しない限り、灯火断芯検出処理装置１３を構成している電子部品は、高湿度状態となっても即座に不良にはならない。図３は高湿度継続時間と不良発生率との関連図である。図３に示すように、高湿度継続時間が長期になると、装置内部の部品の不良発生率が高くなる。
【００１８】
第１の実施の形態によれば、湿度検出回路２１の出力をもとに、灯火断芯検出処理装置１３を保護している防水ケース１４内の湿度を監視するので、運用状態で防水ケース１４の良否判定を行うことができる。従って、灯火断芯検出処理装置１３を構成している電子部品の良否判定を行う際に、湿度検出回路２１の出力レベルを考慮に入れて、灯火断芯検出処理装置１３の状態を総合的に判断することができる。
【００１９】
（第２の実施の形態）
図４は本発明の第２の実施の形態に係わる灯火断芯検出処理装置の回路図である。この第２の実施の形態は、図１に示した第１の実施の形態に対し、状態表示回路１９に代えて伝送制御回路２２を設け、伝送制御回路２２は灯火１５の断芯の有無や装置内部の防水状態を通信媒体２３を介して外部装置２４に報知するようにしたものである。
【００２０】
第２の実施の形態では、演算処理回路１８は湿度検出回路２１の出力を入力し、あらかじめ適切な値に設定したレベル、例えば図２のレベルＡ及びレベルＢと比較する。そして、湿度検出回路２１の出力がレベルＡ以上であるときは防水ケース１４の異常と判断し、湿度検出回路２１の出力がレベルＢ以下のときは正常であると判断する。そして、その判定結果を伝送制御回路２２および通信媒体２３を介して監視室等に設置された外部装置２４に対して断芯発生の有無と共に通知する。
【００２１】
このとき、あらかじめ灯火断芯検出処理装置１３に対して与えられた個別のアドレス情報を付加することで、外部装置２４は断芯の発生した位置が特定できると共に、該当する灯火断芯検出処理装置１３を保護している防水ケース１４の良否も判断できる。
【００２２】
第２の実施の形態によれば、仮に灯火断芯検出処理装置１３を保護している防水ケース１４の不良によって、防水ケース１４内部の湿度上昇で灯火断芯検出処理装置１３を構成している電子部品の一部が不良に至った場合であっても、電子部品単品の不良なのか、湿度上昇による二次不良なのかを判断できる。そのため、不良発生後の原因調査作業効率が大幅に改善される。
【図面の簡単な説明】
【００２３】
【図１】本発明の第１の実施の形態に係わる灯火断芯検出処理装置の回路図。
【図２】本発明の第１の実施の形態における湿度検出回路の出力と防水ケース内の湿度との関係を示す特性図。
【図３】本発明の第１の実施の形態における防水ケース内部の高湿度継続時間と不良発生率との関連図。
【図４】本発明の第１の実施の形態に係わる灯火断芯検出処理装置の回路図。
【図５】従来の灯火断芯検出処理装置の一例を示す回路図。
【符号の説明】
【００２４】
１１…定電流電源装置、１２…変流器、１３…灯火断芯検出処理装置、１４…防水ケース、１５…灯火、１６…電源回路、１７…電流検出回路、１８…演算処理回路、１９…状態表示回路、２０…バイパス回路、２１…湿度検出回路、２２…伝送制御回路、２３…通信媒体、２４…外部装置
【図１】
2007311276.tif 000003
【図２】
2007311276.tif 000004
【図３】
2007311276.tif 000005
【図４】
2007311276.tif 000006
【図５】
2007311276.tif 000007